(57)【要約】      （修正有）【課題】円形状の青果の転がり防止可能なまな板構造を提供する。【解決手段】少なくとも１つの厚さが設けられると共に垂直面に平行する本体２、及び第一傾斜面２１、第二傾斜面２２、及び第三傾斜面２３を有する少なくとも３つの傾斜面を備える。傾斜面及び垂直面により交差角度が形成され、３つの傾斜面は互いに平行にならず、第二傾斜面及び第三傾斜面は第一傾斜面の一側に設置され、傾斜面と傾斜面との間には交差角度が各々形成され、３つの傾斜面の間には収納空間が形成され、円形状の青果が収納空間３に収納され、円形状の青果と３つの傾斜面との接触点が形成され、円形状の青果は転がらなくなる。【選択図】図１
0003196695.tif 000002
【実用新案登録請求の範囲】
【請求項１】
少なくとも１つの厚さが設けられ、垂直面に平行する本体と、
第一傾斜面、第二傾斜面、及び第三傾斜面を有する少なくとも3つの傾斜面を備え、
ここでは、前記3つの傾斜面及び水平面により交差角度が形成されると共に、前記3つの傾斜面及び垂直面により交差角度が形成され、前記3つの傾斜面は互いに平行ではなく、前記第二傾斜面及び前記第三傾斜面は前記第一傾斜面の一側に設置され、傾斜面と傾斜面との間には交差角度が各々が形成され、前記3つの傾斜面の間には収納空間が形成され、円形状の青果が前記収納空間に収納され、円形状の青果と前記3つの傾斜面との接触点が形成されることにより、円形状の青果は転がらなくなることを特徴とする円形状の青果の転がり防止可能なまな板構造。
【請求項２】
第二傾斜面及び第三傾斜面の一側には更に弧面を各々備えることを特徴とする、請求項１記載の円形状の青果の転がり防止可能なまな板構造。
【請求項３】
第二傾斜面と第三傾斜面との間には収集溝部を更に備えることを特徴とする、請求項１記載の円形状の青果の転がり防止可能なまな板構造。
【請求項４】
収集溝部の両側は第二傾斜面及び第三傾斜面に各々接合されることを特徴とする、請求項３記載の円形状の青果の転がり防止可能なまな板構造。
【請求項５】
第二傾斜面、第三傾斜面、及び溝部は第一傾斜面の一側に設置されることを特徴とする、請求項３記載の円形状の青果の転がり防止可能なまな板構造。
【請求項６】
第一傾斜面は第四傾斜面及び第五傾斜面を更に備えることを特徴とする、請求項１記載の円形状の青果の転がり防止可能なまな板構造。
【請求項７】
第四傾斜面の一側は第二傾斜面に接合され、第五傾斜面の一側は第三傾斜面に接合されることを特徴とする、請求項６記載の円形状の青果の転がり防止可能なまな板構造。
【請求項８】
第一傾斜面と第四傾斜面及び第二傾斜面との間には案内用溝部を更に備え、第一傾斜面と第三傾斜面及び第五傾斜面との間には案内用溝部を更に含むことを特徴とする、請求項７記載の円形状の青果の転がり防止可能なまな板構造。
【請求項９】
第一傾斜面と第二傾斜面との間には交差角度が形成され、交差角度は９５度から１３５度の間であり、且つ厚さは垂直面に平行になり、本体が水平面に立設され、第一傾斜面と第三傾斜面との間には交差角度が形成され、交差角度は９５度から１３５度の間であり、且つ厚さは垂直面に平行になり、本体が水平面に立設されることを特徴とする、請求項１記載の円形状の青果の転がり防止可能なまな板構造。
【請求項１０】
収集溝部は液体及び切り屑の収集に使用されることを特徴とする、請求項３記載の円形状の青果の転がり防止可能なまな板構造。
【考案の詳細な説明】
【技術分野】
【０００１】
本考案は、円形状の青果の転がり防止可能なまな板構造に関する。
【背景技術】
【０００２】
まな板は一般家庭及びレストランで作業する者が普遍的に使用する器具であり、まな板の利便性向上のため、様々なまな板の考案が雨後の筍のように登場している。例えば、特許文献１に記載される「刃研磨付まな板」は、まな板に刃研磨ユニットが設けられ、包丁の刃が鈍った時にすぐに研磨できるようになっている。また、特許文献２に記載される「直立式まな板」は、まな板の一端に弧形の錘が配置され、まな板を直立すると、前記錘がまな板の重心を下に向けるため、まな板が直立するようになっている。
【先行技術文献】
【特許文献】
【０００３】
【特許文献１】台湾実用新案第Ｍ４７８４１５号公報
【特許文献２】台湾実用新案第Ｍ４７６５６６号公報
【０００４】
そこで、本考案者は上記の欠点が改善可能と考え、鋭意検討を重ねた結果、合理的かつ効果的に課題を改善する本考案の提案に到った。
【考案の概要】
【考案が解決しようとする課題】
【０００５】
しかしながら、前述した従来のまな板では、本考案者の要求に応えられない。本考案者は円形状の青果の転がり防止可能なまな板構造を開発し、円形状の物体が平面上で静止するようにする。円形状の物体が受ける力は重力及び反作用力であり、且つ重力は反作用力に等しい。包丁で平面上で静止する円形状の物体を切ると、円形状の物体には切られた際の作用力により水平分力が発生し、円形状の物体が転がる。この状況は円形状の物体が傾斜面上に置かれた場合に類似し、重力分力が摩擦力より大きい場合に円形状の物体は転がり、少なくとも3つの傾斜面により円形状の物体は包囲されて受け止められて転がらなくなる。本考案者はこの方法をまな板に応用し、円形状の青果が転がるのを防止するまな板を考案した。
【０００６】
本考案は、このような従来の問題に鑑みてなされたものである。上記課題解決のため、本考案は、円形状の青果の転がり防止可能なまな板構造を提供することを主目的とする。すなわち、複数の傾斜面により複数の交差角度が形成されて円形状の青果が転がるのを防止させ、主婦や調理人及び関係者の青果を切る作業を楽にする。
【課題を解決するための手段】
【０００７】
上述した課題を解決し、目的を達成するために、本考案に係る円形状の青果の転がり防止可能なまな板構造は、少なくとも１つの厚さが設けられ、垂直面に平行する本体と、第一傾斜面、第二傾斜面、及び第三傾斜面を有する少なくとも3つの傾斜面を備え、
ここでは、前記3つの傾斜面及び水平面により交差角度が形成されると共に前記3つの傾斜面及び垂直面により交差角度が形成され、前記3つの傾斜面は互いに平行にならず、前記第二傾斜面及び前記第三傾斜面は前記第一傾斜面の一側に設置され、傾斜面と傾斜面との間には交差角度が各々が形成され、前記3つの傾斜面の間には収納空間が形成され、円形状の青果が前記収納空間に収納され、円形状の青果と前記3つの傾斜面との接触点が形成され、円形状の青果は転がらなくなることを特徴とする。
【０００８】
好ましくは、第二傾斜面及び第三傾斜面の一側には更に弧面を各々備える。
【０００９】
好ましくは、第二傾斜面と第三傾斜面との間には溝部を更に備える。
【００１０】
好ましくは、溝部の両側は第二傾斜面及び第三傾斜面に各々接合される。
【００１１】
好ましくは、第二傾斜面、第三傾斜面、及び溝部は第一傾斜面の一側に設置される。
【００１２】
好ましくは、第一傾斜面は第四傾斜面及び第五傾斜面を更に備える。
【００１３】
好ましくは、第四傾斜面は第二傾斜面に接合され、第五傾斜面の一側は第三傾斜面に接合される。
【００１４】
好ましくは、第一傾斜面と第四傾斜面及び第二傾斜面との間には案内用溝部を更に備え、第一傾斜面と第三傾斜面及び第五傾斜面との間には案内用溝部を更に含む。
【００１５】
好ましくは、第一傾斜面と第二傾斜面との間には交差角度が形成され、交差角度は９５度から１３５度の間であり、且つ厚さは垂直面に平行になり、本体が水平面に立設され、第一傾斜面と第三傾斜面との間には交差角度が形成され、交差角度は９５度から１３５度の間であり、且つ厚さは垂直面に平行になり、本体が水平面に立設される。
【考案の効果】
【００１６】
本考案によれば、円形状の青果が転がることを防止できる。
【図面の簡単な説明】
【００１７】
【図１】本考案の第１実施形態による円形状の青果の転がり防止可能なまな板構造を示す外観斜視図である。
【図２】本考案の一部を示す前面の概略図である。
【図３】本考案の一部を示す傾斜の概略図である。
【図４】本考案を使用する参考の概略図である。
【図５】本考案のまな板を水平面に置く斜視図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１９】
（第１実施形態）
以下、本考案の具体的な実施形態について図１乃至図５に基づき説明する。すなわち、本考案に係る円形状の青果の転がり防止可能なまな板構造１は、少なくとも１つの厚さ６が設けられ、厚さ６と垂直面Ｈとは互いに平行になり、厚さ６は垂直面Ｈの方向に対して平面を呈する本体２、及び第一傾斜面２１、第二傾斜面２２、並びに第三傾斜面２３を有する少なくとも3つの傾斜面を備える。第一傾斜面２１は第四傾斜面２４及び第五傾斜面２５を更に含み、第二傾斜面２２の一側は弧面２２１を更に備え、弧面２２１と円形状の青果９との接触点が発生する。第三傾斜面２３の一側は弧面２３１を更に含み、弧面２３１と円形状の青果９との接触点が形成され、第四傾斜面２４の一側は第二傾斜面２２に接合し、第五傾斜面２５の一側は第三傾斜面２３に接合する。第二傾斜面２２と第三傾斜面２３との間には液体及び切り屑を収集するための溝部４を更に具備し、溝部４の両側は第二傾斜面２２及び第三傾斜面２３に各々接合される。第二傾斜面２２、第三傾斜面２３、及び溝部４は第一傾斜面２１の同一側に設置され、第一傾斜面２１と第四傾斜面２４及び第二傾斜面２２との間には案内用溝部５を更に備え、第一傾斜面２１と第三傾斜面２３及び第五傾斜面２５との間には案内用溝部５を更に含む。案内用溝部５の一端は溝部４に接合され、案内用溝部５では液体が溝部４まで流され、第二傾斜面２２、弧面２２１、及び第四傾斜面２４と第三傾斜面２３、弧面２３１、及び第五傾斜面２５とは第一傾斜面２１と溝部４との中心の連接線により互いに対称になる。第一傾斜面２１及び水平面Ｌにより交差角度Ａが形成され、第二傾斜面２２及び垂直面Ｈにより交差角度Ｃが形成される。本実施形態によると、第二傾斜面２２及び第三傾斜面２３は第一傾斜面２１と溝部４との中心の連接線により互いに対称になり、第三傾斜面２３及び垂直面Ｈにより交差角度Ｃが形成され、第一傾斜面２１、第二傾斜面２２、及び第三傾斜面２３は互いに平行にならない。第一傾斜面２１、第二傾斜面２２と第三傾斜面２３との間には交差角度が形成され、第一傾斜面２１及び第二傾斜面２２により交差角度Ｂが形成され、第一傾斜面２１及び第三傾斜面２３により交差角度Ｂが形成される。交差角度Ｂは９５度から１３５度の間であり、第一傾斜面２１、第二傾斜面２２、及び第三傾斜面２３の間には収納空間３が形成される。
【００２０】
この好ましい実施態様では、円形状の青果９は前記収納空間３に収納されると共に第一傾斜面２１、第二傾斜面２２（或いは弧面２２１）、及び第三傾斜面２３（或いは弧面２３１）との接触点が発生する。第一傾斜面２１及び水平面Ｌにより交差角度Ａが設けられ、第二傾斜面２２及び垂直面Ｈにより交差角度Ｃが設けられ、第三傾斜面２３及び垂直面Ｈにより交差角度Ｃが設けられ、第一傾斜面２１と第二傾斜面２２との間には交差角度Ｂが設けられ、第一傾斜面２１と第三傾斜面２３との間には交差角度Ｂが設けられる。円形状の青果９が受ける重力及び摩擦力は、第一傾斜面２１、第二傾斜面２２、及び第三傾斜面２３と水平面Ｌの交差角度Ａ、垂直面Ｈの間の交差角度Ｃ、及び第一傾斜面２１と第二傾斜面２２（第三傾斜面２３）との間の交差角度Ｂにより分力が発生することで、円形状の青果９と第一傾斜面２１、第二傾斜面２２、及び第三傾斜面２３との接触点上で相互に打ち消し合い平衡を保ち、円形状の青果９が転がらなくなる。
【００２１】
さらに、本実施態様では、第二傾斜面２２と第三傾斜面２３との間には溝部４を更に備え、第一傾斜面２１と第四傾斜面２４及び第二傾斜面２２との間には案内用溝部５を更に含み、第一傾斜面２１と第三傾斜面２３及び第五傾斜面２５との間には案内用溝部５を更に具備する。円形状の青果９は収納空間３に収納されて包丁によって切られ、切られると円形状の青果９からは汁が漏れ出し、第一傾斜面２１の傾斜面から前記案内用溝部５に流入し、溝部４で止められる。本実施態様では、第一傾斜面２１と第二傾斜面２２との間には交差角度Ｂが形成され、交差角度Ｂは９５度から１３５度の間であり、且つ厚さ６は垂直面Ｈに平行になり、厚さ６は垂直面Ｈの方向に対して平面を呈し、本体２は水平面に立設される。本体２の前記厚さ６は垂直面Ｈに平行になって平面及び第一傾斜面２１と第二傾斜面２２との間に交差角度Ｂが形成され、本体２が水平面Ｌに立設される。第一傾斜面２１と第三傾斜面２３との間には交差角度Ｂが形成され、交差角度Ｂは９５度から１３５度の間になり、且つ厚さ６は垂直面Ｈに平行になり、厚さ６は垂直面Ｈの方向に対して平面を呈し、本体２は水平面に立設される。本体２の前記厚さ６は垂直面Ｈに平行になって平面及び第一傾斜面２１と第三傾斜面２３との間の交差角度Ｂが形成され、本体２は水平面Ｌに立設される。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
１  円形状の青果の転がり防止可能なまな板構造
２  本体
２１  第一傾斜面
２２  第二傾斜面
２２１  弧面
２３  第三傾斜面
２３１  弧面
２４  第四傾斜面
２５  第五傾斜面
３  収納空間
４  収集溝部
５  案内用溝部
６  厚さ
９  円形状の青果
Ａ  交差角度
Ｂ  交差角度
Ｃ  交差角度
Ｈ  垂直面
Ｌ  水平面
【図１】
0003196695.tif 000003
【図２】
0003196695.tif 000004
【図３】
0003196695.tif 000005
【図４】
0003196695.tif 000006
【図５】
0003196695.tif 000007